(57)【要約】【課題】本発明は、短文／マルチメディアメッセージサービス（ＳＭＳ／ＭＭＳ）ゲートウエーを用いたＳＭＳ２ＰＳＴＮ統合メッセージングサービス提供システム及びその方法を提供する。【解決手段】移動通信端末、ＳＭＳ／ＭＭＳ伝送クライアント、または文字メッセージの送受信が可能な電話機（Ａｎｎフォン）から該受信したＳＭＳまたはＭＭＳメッセージに含まれた着信側電話番号で問合せられ、着信側電話番号に係るＥｍａｉｌ  ＩＤ、インスタンスメッセンジャー（ＩＭ）ＩＤ、個人移動電話番号、一般電話番号、ウェブ住所のうちの少なくとも一つ以上のＩＤ情報を提供するＳＭＳ２ＰＳＴＮサービス提供サーバと、会員情報、課金情報、ＳＭＳ２ＰＳＴＮサービスタイプ及び着信側電話番号に係るＥｍａｉｌ  ＩＤ、ＩＭ ＩＤ、個人移動電話番号、一般電話番号、またはウェブ住所を格納するデータベースと、該受信したＳＭＳまたはＭＭＳメッセージから取り出された着信側電話番号を前記ＳＭＳ２ＰＳＴＮサービス提供サーバに問合せ、予め決められたＳＭＳ２ＰＳＴＮサービスタイプによって前記着信側電話番号に係るＥｍａｉｌ  ＩＤ、ＩＭ ＩＤ、個人移動電話番号、または一般電話番号でＴｅｘｔ２Ｖｏｉｃｅで該受信したメッセージを変換して伝送するか、またはユーザーの定めたウェブサーバへ伝送するためのＳＭＳ／ＭＭＳゲートウエーとを含む。
2009534905.tif 000002
【特許請求の範囲】
【請求項１】
短文／マルチメディアメッセージサービス（ＳＭＳ／ＭＭＳ）ゲートウエーを用いたＳＭＳ２ＰＳＴＮ統合メッセージングサービス提供システムにおいて、
移動通信端末、ＳＭＳ／ＭＭＳ伝送クライアント、または文字メッセージの送受信が可能な電話機（Ａｎｎフォン）から着信側電話番号で伝送する場合、ＳＭＳ／ＭＭＳゲートウエーから受信したメッセージ（ＳＭＳまたはＭＭＳメッセージ）に含まれた着信側電話番号を問合せられば（ｑｕｅｒｙ）、該着信側電話番号に係るＥｍａｉｌ  ＩＤ、またはインスタンスメッセンジャー（ＩＭ）ＩＤ、個人移動電話番号、一般電話番号情報、ウェブ住所のうちの少なくとも一つ以上のＩＤ情報を提供するためのＳＭＳ２ＰＳＴＮサービス提供サーバと、
会員加入情報、課金情報、ＳＭＳ２ＰＳＴＮサービスタイプ及び前記着信側電話番号に係るＥｍａｉｌ  ＩＤ、インスタンスメッセンジャー（ＩＭ）ＩＤ、個人移動電話番号、一般電話番号、ウェブ住所を格納するためのデータベースと、
前記移動通信端末、前記ＳＭＳ／ＭＭＳ伝送クライアント、前記文字メッセージの送受信が可能な電話機（Ａｎｎフォン）からの着信側電話番号へのメッセージ（ＳＭＳ／ＭＭＳメッセージ）を受信すると、該受信したメッセージから取り出された該着信側電話番号によって前記ＳＭＳ２ＰＳＴＮサービス提供サーバに問合せ、予め決められたＳＭＳ２ＰＳＴＮサービスタイプによって前記着信側電話番号に係るＥｍａｉｌ  ＩＤで該メッセージをＥ−ｍａｉｌヘッダとボディデータに変換してＥ−ｍａｉｌサーバを介して伝送し、該受信したメッセージをインスタンスメッセンジャー（ＩＭ）ＩＤでインスタンスメッセージに変換してメッセンジャーサーバを介して伝送し、個人移動電話番号で前記メッセージを伝送し、一般電話番号でＴｅｘｔ２Ｖｏｉｃｅで該メッセージの文字を音声に変換して伝送し、またはｈｔｔｐプロトコルを用いてＰＯＳＴ／ＧＥＴ或いはＸＬＭ形式でユーザーの定めたウェブサーバへ伝送するための前記ＳＭＳ／ＭＭＳゲートウエーと、
を含む短文／マルチメディアメッセージサービス（ＳＭＳ／ＭＭＳ）ゲートウエーを用いたＳＭＳ２ＰＳＴＮ統合メッセージングサービス提供システム。
【請求項２】
一般電話加入者（文字メッセージ送受信機能のない一盤電話加入者）からＳＭＳ２ＰＳＴＮ統合メッセージングサービスを受けるために、会員加入情報を前記ＳＭＳ２ＰＳＴＮサービス提供サーバに登録し、ＳＭＳ２ＰＳＴＮサービスタイプを設定するためのＳＭＳ２ＰＳＴＮサービスクライアントを、さらに含む請求項１に記載の短文／マルチメディアメッセージサービス（ＳＭＳ／ＭＭＳ）ゲートウエーを用いたＳＭＳ２ＰＳＴＮ統合メッセージングサービス提供システム。
【請求項３】
受信したメッセージを前記文字メッセージの送受信が可能な電話機（Ａｎｎフォン）及びＳＭＳ／ＭＭＳゲートウエーのうちのいずれか一つへ伝送するか同時伝送が可能で、該受信した短文／マルチメディアメッセージ（ＳＭＳ／ＭＭＳ）に含まれた着信側電話番号が前記文字メッセージの送受信が可能な電話機（Ａｎｎフォン）の電話番号であるか否かを判断するためのＭＩＤＣのＭＳＧゲートウエーを、さらに含む請求項１に記載の短文／マルチメディアメッセージサービス（ＳＭＳ／ＭＭＳ）ゲートウエーを用いたＳＭＳ２ＰＳＴＮ統合メッセージングサービス提供システム。
【請求項４】
前記ＳＭＳ／ＭＭＳゲートウエーが、
前記移動通信端末、前記ＳＭＳ／ＭＭＳ伝送クライアントまたは前記文字メッセージの送受信が可能な電話機（Ａｎｎフォン）から受信した短文メッセージ（ＳＭＳメッセージ）から取り出された着信側電話番号を前記ＳＭＳ２ＰＳＴＮサービス提供サーバに問合せ、予め決められたＳＭＳ２ＰＳＴＮサービスタイプによって前記着信側電話番号に係るＥｍａｉｌ  ＩＤ、インスタンスメッセンジャー（ＩＭ）ＩＤ、個人移動電話番号、一般電話番号、またはユーザーの設定したウェブ住所のうちの少なくとも一つ以上のＩＤ情報を照会するモジュールと、
前記受信した短文メッセージを前記着信側電話番号に係るＥｍａｉｌ  ＩＤに、Ｅ−ｍａｉｌヘッダ（ｈｅａｄｅｒ）とボディ（ｂｏｄｙ）とに分類し、Ｅ−ｍａｉｌデータに変換して、Ｅ−ｍａｉｌサーバを介して伝送するモジュール（ＳＭＳ２Ｅｍａｉｌ）と、
前記受信した短文メッセージを前記着信側電話番号に係るインスタンスメッセンジャー（ＩＭ）ＩＤに、インスタンスメッセージデータに変換して、メッセンジャーサーバを介して伝送するモジュール（ＳＭＳ２ＩＭ）と、
前記受信した短文メッセージを前記着信側電話番号に係る個人移動電話番号で伝送するモジュール（ＳＭＳ２Ｍｏｂｉｌｅ）と、
前記受信した短文メッセージを前記着信側電話番号に連関した一般電話番号で、Ｔｅｘｔ２Ｖｏｉｃｅ機能（ＴＴＳ機能）によって音声に変換して伝送するモジュール（Ｔｅｘｔ２Ｖｏｉｃｅ）と、
前記受信した短文メッセージを前記着信側電話番号に係るユーザーの設定したウェブサーバに、ｈｔｔｐプロトコルを用いてＰＯＳＴ／ＧＥＴ或いはＸＬＭ形式へ伝送するモジュール（ＳＭＳ２Ｗｅｂ）と、
を含む請求項１に記載の短文／マルチメディアメッセージサービス（ＳＭＳ／ＭＭＳ）ゲートウエーを用いたＳＭＳ２ＰＳＴＮ統合メッセージングサービス提供システム。
【請求項５】
前記ＳＭＳ／ＭＭＳゲートウエーが、
前記移動通信端末、前記ＳＭＳ／ＭＭＳ伝送クライアントまたは前記文字メッセージの送受信が可能な電話機（Ａｎｎフォン）から受信したＭＭＳメッセージから取り出された着信側電話番号を前記ＳＭＳ２ＰＳＴＮサービス提供サーバに問合せ、予め決められたＳＭＳ２ＰＳＴＮサービスタイプによって前記着信側電話番号に係るＥｍａｉｌ  ＩＤ、インスタンスメッセンジャー（ＩＭ）ＩＤ、個人移動電話番号、一般電話番号、またはユーザーの設定したウェブ住所のうちの少なくとも一つ以上のＩＤ情報を照会するモジュールと、
前記受信したＭＭＳメッセージからＭＭＳヘッダ及びＭＭＳボディデータを前記着信側電話番号に係るＥｍａｉｌ  ＩＤでＥ−ｍａｉｌヘッダ（ｈｅａｄｅｒ）とボディ（ｂｏｄｙ）とに分類し、Ｅ−ｍａｉｌデータに変換してＥ−ｍａｉｌサーバを介して伝送するモジュール（ＭＭＳ２Ｅｍａｉｌ）と、
前記受信したＭＭＳメッセージを前記着信側電話番号に係るインスタンスメッセンジャー（ＩＭ）ＩＤで、インスタンスメッセージデータに変換してメッセンジャーサーバを介して伝送するモジュール（ＭＭＳ２ＩＭ）と、
前記受信したＭＭＳメッセージを前記着信側電話番号に係る個人移動電話番号で伝送するモジュール（ＭＭＳ２Ｍｏｂｉｌｅ）と、
前記受信したＭＭＳメッセージを前記着信側電話番号に連関した一般電話番号で、Ｔｅｘｔ２Ｖｏｉｃｅ機能（ＴＴＳ機能）によって音声に変換して伝送するモジュール（Ｔｅｘｔ２Ｖｏｉｃｅ）と、
前記受信したＭＭＳメッセージを前記着信側電話番号に係るユーザーの設定したウェブサーバへ、ｈｔｔｐプロトコルを用いてＰＯＳＴ／ＧＥＴ或いはＸＬＭ形式で伝送するモジュール（ＭＭＳ２Ｗｅｂ）と、
を含む請求項１に記載の短文／マルチメディアメッセージサービス（ＳＭＳ／ＭＭＳ）ゲートウエーを用いたＳＭＳ２ＰＳＴＮ統合メッセージングサービス提供システム。
【請求項６】
前記ＳＭＳ／ＭＭＳゲートウエーが、
所定の管理クライアントによってインターネットを介して受信した全てのＳＭＳまたはＭＭＳメッセージ及び発信者情報を統合管理することを特徴とする請求項１に記載の短文／マルチメディアメッセージサービス（ＳＭＳ／ＭＭＳ）ゲートウエーを用いたＳＭＳ２ＰＳＴＮ統合メッセージングサービス提供システム。
【請求項７】
前記ＳＭＳ／ＭＭＳゲートウエーが、
インターネットを介してＳＭＳ／ＭＭＳ返事を自動伝送し、伝送メッセージを管理することを特徴とする請求項１に記載の短文／マルチメディアメッセージサービス（ＳＭＳ／ＭＭＳ）ゲートウエーを用いたＳＭＳ２ＰＳＴＮ統合メッセージングサービス提供システム。
【請求項８】
前記ＳＭＳ／ＭＭＳゲートウエーが、
企業の代表電話番号、コールセンターの電話番号、特殊電話番号（１５８８）で２４時間受信メッセージとしてＳＭＳ／ＭＭＳ自動情報（基本情報、細部情報リンク、メニュー、略図、イベント）を提供し、該受信したＳＭＳまたはＭＭＳメッセージに含まれた発信側電話番号で所定文句のコールバック（Ｃａｌｌｂａｃｋ）サービスを提供することを特徴とする請求項１に記載の短文／マルチメディアメッセージサービス（ＳＭＳ／ＭＭＳ）ゲートウエーを用いたＳＭＳ２ＰＳＴＮ統合メッセージングサービス提供システム。
【請求項９】
前記ＳＭＳ２ＰＳＴＮサービス提供サーバが、
前記ＳＭＳ／ＭＭＳゲートウエーにて着信側電話番号に追加番号（０−９）を設定して個人化された通信サービスを提供するべく、電話番号の個人化情報（Ｃａｌｌｅｒ  ＩＤ）をデータベースに格納することを特徴とする請求項１に記載の短文／マルチメディアメッセージサービス（ＳＭＳ／ＭＭＳ）ゲートウエーを用いたＳＭＳ２ＰＳＴＮ統合メッセージングサービス提供システム。
【請求項１０】
前記ＳＭＳ２ＰＳＴＮサービス提供サーバが、
短文／マルチメディアメッセージ受信の際に前記ＳＭＳ／ＭＭＳゲートウエーにて電話番号を個人化し、既存の電話番号に追加番号（０−９）を設定してＳＭＳまたはＭＭＳメッセージを伝送することを特徴とする請求項９に記載の短文／マルチメディアメッセージサービス（ＳＭＳ／ＭＭＳ）ゲートウエーを用いたＳＭＳ２ＰＳＴＮ統合メッセージングサービス提供システム。
【請求項１１】
前記ＳＭＳ２ＰＳＴＮサービス提供サーバが、
着発信ＳＭＳまたはＭＭＳメッセージを格納し、該ＳＭＳメッセージを管理及び確認可能なことを特徴とする請求項９に記載の短文／マルチメディアメッセージサービス（ＳＭＳ／ＭＭＳ）ゲートウエーを用いたＳＭＳ２ＰＳＴＮ統合メッセージングサービス提供システム。
【請求項１２】
前記会員加入情報が、
ユーザー認証のためのＩＤ、パスワード、名前、住民登録番号、住所、ＳＭＳ２ＰＳＴＮサービスタイプ、Ｅｍａｉｌ  ＩＤ、インスタンスメッセンジャーの（ＩＭ）種類及びインスタンスメッセンジャーＩＤ、個人移動電話番号、家電話番号、職場電話番号、ユーザーの設定したウェブ住所を含む請求項１に記載の短文／マルチメディアメッセージサービス（ＳＭＳ／ＭＭＳ）ゲートウエーを用いたＳＭＳ２ＰＳＴＮ統合メッセージングサービス提供システム。
【請求項１３】
前記ＳＭＳ２ＰＳＴＮサービスタイプが、
ＳＭＳまたはＭＭＳメッセージ受信の際、該受信したメッセージに含まれた着信側電話番号に係るＥｍａｉｌ  ＩＤ、インスタンスメッセンジャー（ＩＭ）ＩＤ、個人移動電話番号、一般電話番号、ウェブ住所情報に予め設定し、前記ＳＭＳ２ＰＳＴＮサービス提供サーバに格納することを特徴とする請求項１に記載の短文／マルチメディアメッセージサービス（ＳＭＳ／ＭＭＳ）ゲートウエーを用いたＳＭＳ２ＰＳＴＮ統合メッセージングサービス提供システム。
【請求項１４】
ＳＭＳ２ＰＳＴＮサービスクライアント、ＳＭＳ２ＰＳＴＮサービス提供サーバ及びＳＭＳ／ＭＭＳゲートウエーを用いたＳＭＳ２ＰＳＴＮ統合メッセージングサービス提供方法において、
（ａ）前記一般電話加入者から前記ＳＭＳ２ＰＳＴＮサービスクライアントを介して前記ＳＭＳ２ＰＳＴＮサービス提供サーバに接続し、会員加入情報を登録し、ＳＭＳ２ＰＳＴＮサービスタイプを設定するステップと、
（ｂ）移動通信端末、ＳＭＳ／ＭＭＳ伝送クライアントまたは文字メッセージの送受信が可能な電話機（Ａｎｎフォン）から作成されたＳＭＳまたはＭＭＳメッセージを着信側電話番号で伝送するように、ＳＭＳサーバまたはＭＭＳサーバを介してＭＳＧゲートウエーへ伝送されると、ＭＳＧゲートウエーにおいてＳＭＳまたはＭＭＳメッセージに含まれた着信側電話番号が前記文字メッセージの送受信が可能な電話機（Ａｎｎフォン）の電話番号であるか否かを判断するステップと、
（ｃ）判断結果、前記着信側電話番号が前記Ａｎｎフォン電話番号であると、前記ＭＳＧゲートウエーにて該受信したＳＭＳまたはＭＭＳメッセージを前記文字メッセージの送受信が可能な電話機（Ａｎｎフォン）へ伝送するステップと、
（ｄ）判断結果、前記着信側電話番号が前記Ａｎｎフォン電話番号でなく一般電話番号であると、前記ＭＳＧゲートウエーから前記ＳＭＳまたはＭＭＳメッセージを前記ＳＭＳ／ＭＭＳゲートウエーへ伝送し、前記ＳＭＳ／ＭＭＳゲートウエーが該受信したＳＭＳまたはＭＭＳメッセージに含まれた着信側電話番号を前記ＳＭＳ２ＰＳＴＮサービス提供サーバに問合せると、前記ＳＭＳ／ＭＭＳゲートウエーが、前記ＳＭＳ２ＰＳＴＮサービス提供サーバから予め決められたＳＭＳ２ＰＳＴＮサービスタイプによって前記着信側一般電話番号に係るＥｍａｉｌ  ＩＤ、インスタンスメッセンジャー（ＩＭ）ＩＤ、個人移動電話番号、一般電話番号、ユーザーの設定したウェブ住所のうちの少なくとも一つ以上のＩＤ情報を受信するステップと、
（ｅ）前記ＳＭＳ／ＭＭＳゲートウエーが予め決められた前記ＳＭＳ２ＰＳＴＮサービスタイプによって前記ＳＭＳまたはＭＭＳメッセージに含まれた着信側電話番号に係るＥｍａｉｌ  ＩＤ、インスタンスメッセンジャー（ＩＭ）ＩＤ、または個人移動電話番号で該メッセージを伝送するか、一般電話番号でＴｅｘｔ２Ｖｏｉｃｅで文字を音声に変換して伝送するか、ｈｔｔｐプロトコルを用いてＰＯＳＴ／ＧＥＴ或いはＸＬＭ形式でユーザーの設定したウェブサーバへ伝送するステップと、
を含む短文／マルチメディアメッセージサービス（ＳＭＳ／ＭＭＳ）ゲートウエーを用いたＳＭＳ２ＰＳＴＮ統合メッセージングサービス提供方法。
【請求項１５】
前記ＳＭＳ２ＰＳＴＮサービスタイプが、
着信側電話番号に係るＥｍａｉｌ  ＩＤ、インスタンスメッセンジャー（ＩＭ）ＩＤ、個人移動電話番号、一般電話番号、ユーザーの設定したウェブ住所情報を予め設定し、前記ＳＭＳ２ＰＳＴＮサービス提供サーバに格納されることを特徴とする請求項１４に記載の短文／マルチメディアメッセージサービス（ＳＭＳ／ＭＭＳ）ゲートウエーを用いたＳＭＳ２ＰＳＴＮ統合メッセージングサービス提供方法。
【請求項１６】
前記ステップ（ｅ）が、
前記受信した短文メッセージを前記着信側電話番号に係るＥｍａｉｌ  ＩＤでＥ−ｍａｉｌヘッダとボディデータとに変換してＥ−ｍａｉｌサーバを介して伝送するステップと、
前記受信した短文メッセージを前記着信側電話番号に係るインスタンスメッセンジャー（ＩＭ）ＩＤでインスタンスメッセージデータに変換してメッセンジャーサーバを介して伝送するステップと、
前記受信した短文メッセージを前記着信側電話番号に係る個人移動電話番号で伝送するステップと、
前記受信した短文メッセージを前記着信側電話番号に係る一般電話番号でＴｅｘｔ２Ｖｏｉｃｅサービスによって音声に変換して伝送するステップと、
前記受信した短文メッセージをｈｔｔｐプロトコルを用いてＰＯＳＴ／ＧＥＴ或いはＸＬＭ形式で前記着信側電話番号に係るユーザーの設定したウェブ住所で伝送するステップと、
を含む請求項１４に記載の短文／マルチメディアメッセージサービス（ＳＭＳ／ＭＭＳ）ゲートウエーを用いたＳＭＳ２ＰＳＴＮ統合メッセージングサービス提供方法。
【請求項１７】
前記ステップ（ｅ）が、
前記受信したＭＭＳメッセージからＭＭＳヘッダ及びＭＭＳボディデータを前記着信側電話番号に係るＥｍａｉｌ  ＩＤでＥ−ｍａｉｌヘッダとボディデータとに変換してＥ−ｍａｉｌサーバを介して伝送するステップと、
前記受信したＭＭＳメッセージを前記着信側電話番号に係るインスタンスメッセンジャー（ＩＭ）ＩＤでインスタンスメッセージデータに変換してメッセンジャーサーバを介して伝送するステップと、
前記受信したＭＭＳメッセージを前記着信側電話番号に係る個人移動電話番号で伝送するステップと、
前記受信したＭＭＳメッセージを前記着信側電話番号に係る一般電話番号でＴｅｘｔ２Ｖｏｉｃｅサービスによって音声に変換して伝送するステップと、
前記受信したＭＭＳメッセージをｈｔｔｐプロトコルを用いてＰＯＳＴ／ＧＥＴ或いはＸＬＭ形式で前記着信側電話番号に係るユーザーの設定したウェブサーバへ伝送するステップと、
を含む請求項１４に記載の短文／マルチメディアメッセージサービス（ＳＭＳ／ＭＭＳ）ゲートウエーを用いたＳＭＳ２ＰＳＴＮ統合メッセージングサービス提供方法。
【請求項１８】
前記着信側電話番号が、
有料または無料で課金されるＳＭＳまたはＭＭＳメッセージを受信するように、家庭または企業の電話番号、コールセンターの電話番号、特殊電話番号（例えば、０８０、１５７７、１５８８番号）を含んだ全ての電話番号であることを特徴とする請求項１４に記載の短文／マルチメディアメッセージサービス（ＳＭＳ／ＭＭＳ）ゲートウエーを用いたＳＭＳ２ＰＳＴＮ統合メッセージングサービス提供方法。
【請求項１９】
前記受信したＳＭＳまたはＭＭＳメッセージが、
ＣＩＤサーバによって発信者番号表示（ＣＩＤ：Ｃａｌｌ  Ｉｄｅｎｔｉｆｉｃａｔｉｏｎ）を用いて自動コールバック（ｃａｌｌｂａｃｋ）機能を提供することを特徴とする請求項１４に記載の短文／マルチメディアメッセージサービス（ＳＭＳ／ＭＭＳ）ゲートウエーを用いたＳＭＳ２ＰＳＴＮ統合メッセージングサービス提供方法。
【請求項２０】
前記着信側電話番号が、
既存の電話番号に人別に個人化された追加番号（０−９）を予め設定して格納された番号であることを特徴とする請求項１４に記載の短文／マルチメディアメッセージサービス（ＳＭＳ／ＭＭＳ）ゲートウエーを用いたＳＭＳ２ＰＳＴＮ統合メッセージングサービス提供方法。
【請求項２１】
コンピュータのＳＭＳ２ＰＳＴＮサービス提供サーバに会員加入情報を登録し、課金情報賦課機能、ＳＭＳ２ＰＳＴＮサービスタイプを設定し、着信側電話番号に係るＥｍａｉｌ  ＩＤ、インスタンスメッセンジャー（ＩＭ）ＩＤ、個人移動電話番号、一般電話番号、ユーザーの設定したウェブ住所を格納する機能と、
移動通信端末、ＳＭＳ／ＭＭＳ伝送クライアント、または文字メッセージの送受信が可能な電話機（Ａｎｎフォン）から着信側電話番号で伝送する場合、ＳＭＳ／ＭＭＳゲートウエーから該受信したＳＭＳまたはＭＭＳメッセージに含まれた着信側電話番号を問合せられると、予め決められたＳＭＳ２ＰＳＴＮサービスタイプによって該着信側電話番号に係る前記Ｅｍａｉｌ  ＩＤ、前記インスタンスメッセンジャー（ＩＭ）ＩＤ、前記個人移動電話番号、前記一般電話番号情報、前記ユーザーの設定したウェブ住所のうちの少なくとも一つ以上のＩＤ情報を提供する機能と、
ＳＭＳ／ＭＭＳゲートウエーが該受信したＳＭＳまたはＭＭＳメッセージを前記着信側電話番号に係るＥｍａｉｌ  ＩＤでＥ−ｍａｉｌヘッダとボディデータとに変換してＥ−ｍａｉｌサーバを介して伝送する機能と、
前記ＳＭＳ／ＭＭＳゲートウエーが該受信したＳＭＳまたはＭＭＳメッセージを前記着信側電話番号に係るインスタンスメッセンジャー（ＩＭ）ＩＤでデータを変換してメッセンジャーサーバを介して伝送する機能と、
前記ＳＭＳ／ＭＭＳゲートウエーが該受信したＳＭＳまたはＭＭＳメッセージを前記着信側電話番号に係る個人移動電話番号で伝送する機能と、
前記ＳＭＳ／ＭＭＳゲートウエーが該受信したＳＭＳまたはＭＭＳメッセージを前記着信側電話番号に係る一般電話番号でＴｅｘｔ２Ｖｏｉｃｅで音声に変換して伝送する機能と、
前記ＳＭＳ／ＭＭＳゲートウエーが該受信したＳＭＳまたはＭＭＳメッセージをｈｔｔｐプロトコルを用いてＰＯＳＴ／ＧＥＴ或いはＸＬＭ形式で前記着信側電話番号に係るユーザーの設定したウェブサーバへ伝送する機能と、
を実現させるためのプログラムを記録したコンピュータ読取り可能な記録媒体。
【発明の詳細な説明】
【技術分野】
【０００１】
本発明は、ＳＭＳ２ＰＳＴＮ統合メッセージングサービス提供システム及びその方法に関し、特に、ＳＭＳ２ＰＳＴＮサービスへの加入後、ＳＭＳ／ＭＭＳ伝送クライアント、移動通信端末または文字メッセージの送受信が可能な電話機（Ａｎｎフォン）から受信したＳＭＳまたはＭＭＳメッセージを変換して、ＳＭＳ／ＭＭＳゲートウエーによって予め決められたＳＭＳ２ＰＳＴＮサービスタイプによって着信側電話番号に係るＥｍａｉｌ  ＩＤ、インスタンスメッセンジャー（ＩＭ）ＩＤ、個人移動電話、一般電話番号（Ｔｅｘｔ２Ｖｏｉｃｅ）、またはウェブサーバへ伝送する、ＳＭＳ／ＭＭＳゲートウエーを用いたＳＭＳ２ＰＳＴＮ統合メッセージングサービス提供システム及びその方法に関するものである。
【背景技術】
【０００２】
近年、文字メッセージの送受信が可能な電話機（以下、「Ａｎｎフォン」と称する）が市販されており、移動通信端末またはＳＭＳ伝送クライアントから伝送されたＳＭＳメッセージを、インテリジェントネットワーク（ＩＮ）を介して前記文字メッセージの送受信が可能な電話機で送受信することができるようになった。
【０００３】
前記Ａｎｎフォンは、文字メッセージ送受信、電話番号帳機能、発信者番号表示（ＬＣＤ）、２４和音の着メロ、大型ＬＣＤ画面など、家電話でも移動通信端末において用いた多様な機能を用いることができる。また、前記Ａｎｎフォンは、文字メッセージ送受信、発信者番号表示、着信切替サービス、ゲーム、着メロダウンロードなどの付加サービスを提供する。前記Ａｎｎフォンは、家電話で移動通信端末より安価で文字メッセージを送ることができ、家庭において人気を集めることになるだろうと見込まれる。
【０００４】
図１は、従来の移動通信網における短文メッセージサービス（ＳＭＳ）システムの構成図である。
【０００５】
図１に示すように、従来の移動通信網において、短文メッセージサービス（ＳＭＳ）システムは、移動通信端末２０と、ＳＭＳ伝送クライアント２２と、文字メッセージの送受信が可能なＳＭＳサーバーを有するＳＭＳメッセージセンター（ＳＭＣ）及びＳＭＳゲートウエーを備えるモバイルインターネットデータセンター（ＭＩＤＣ）１３と、文字メッセージの送受信が可能な電話機（Ａｎｎフォン）１７とを含む。
【発明の開示】
【発明が解決しようとする課題】
【０００６】
前記移動通信端末２０または前記ＳＭＳ伝送クライアント２２は、ＳＭＳエディターで作成された文字メッセージを前記ＳＭＣ及びＳＭＳゲートウエーを介して相手の着信側電話番号（例えば、Ａｎｎフォン）で伝送するようにされる
【０００７】
しかしながら、従来の移動通信端末２０は、短文メッセージ（ＳＭＳ）を前記ＳＭＣのＳＭＳサーバ及びＳＭＳゲートウエーによってインテリジェントネットワーク（ＩＮ）を介して前記Ａｎｎフォン１７へ伝送することができるが、一般電話機（ＡｎｎフォンのないＰＳＴＮ電話機）でＳＭＳメッセージを伝送することができなかった。
【０００８】
また、文字メッセージ伝送サービスを提供するウェブサイトであるＳＭＳ伝送クライアント２２または移動通信端末２０から伝送された着信側電話番号を含む短文メッセージ（ＳＭＳ）を受信する場合、予め決められたサービスタイプによって一般電話加入者のＥｍａｉｌ  ＩＤ、またはインスタンスメッセンジャー（ＩＭ）ＩＤ、個人移動電話番号でＳＭＳメッセージを伝送するか、一般電話番号でＴｅｘｔ２Ｖｏｉｃｅサービスを用いて該メッセージの文字を音声に変換して伝送するか、またはユーザーの設定したウェブサーバへ伝送することができないという問題があった。
【０００９】
本発明は上記の問題点に鑑みて成されたものであって、本発明の目的は、ＳＭＳ２ＰＳＴＮクライアントを介してＳＭＳ２ＰＳＴＮサービス提供サーバに接続して会員として加入後、移動通信端末、ＳＭＳ／ＭＭＳ伝送クライアントまたは文字メッセージの送受信が可能な電話機（Ａｎｎフォン）から着信側電話番号で伝送するためのＳＭＳまたはＭＭＳメッセージをＳＭＳ／ＭＭＳゲートウエーで受信すると、予め決められたＳＭＳ２ＰＳＴＮサービスタイプによって着信側一般電話番号に係るＥｍａｉｌ  ＩＤ、インスタンスメッセンジャー（ＩＭ）ＩＤ、または個人移動電話番号で該受信したメッセージを変換して伝送するか、一般電話番号でＴｅｘｔ２Ｖｏｉｃｅで該メッセージの文字を音声に変換して伝送するか、またはｈｔｔｐプロトコルを用いてＰＯＳＴ／ＧＥＴ或いはＸＬＭ形式でユーザーの設定したウェブサーバへ伝送するための、ＳＭＳ／ＭＭＳゲートウエーを用いたＳＭＳ２ＰＳＴＮ統合メッセージングサービス提供システム及びその方法を提供することにある。
【課題を解決するための手段】
【００１０】
上記目的を解決するために、本発明による短文／マルチメディアメッセージサービス（ＳＭＳ／ＭＭＳ）ゲートウエーを用いたＳＭＳ２ＰＳＴＮ統合メッセージングサービス提供システムは、移動通信端末、ＳＭＳ／ＭＭＳ伝送クライアント、または文字メッセージの送受信が可能な電話機（Ａｎｎフォン）から着信側電話番号で伝送する場合、ＳＭＳ／ＭＭＳゲートウエーから該受信したメッセージ（ＳＭＳまたはＭＭＳメッセージ）に含まれた着信側電話番号を問合せられる（ｑｕｅｒｙ）と、前記着信側電話番号に係るＥｍａｉｌ  ＩＤ、またはインスタンスメッセンジャー（ＩＭ）ＩＤ、個人移動電話番号、一般電話番号情報、ウェブ住所のうちの少なくとも一つ以上のＩＤ情報を提供するためのＳＭＳ２ＰＳＴＮサービス提供サーバと、会員加入情報、課金情報、ＳＭＳ２ＰＳＴＮサービスタイプ及び前記着信側電話番号に係るＥｍａｉｌ  ＩＤ、インスタンスメッセンジャー（ＩＭ）ＩＤ、個人移動電話番号、一般電話番号、ウェブ住所を格納するためのデータベースと、前記移動通信端末、前記ＳＭＳ／ＭＭＳ伝送クライアント、または前記文字メッセージの送受信が可能な電話機（Ａｎｎフォン）から該着信側電話番号でメッセージ（ＳＭＳ／ＭＭＳメッセージ）を受信すると、該受信したメッセージから取り出された該着信側電話番号によって前記ＳＭＳ２ＰＳＴＮサービス提供サーバに問合せ、予め決められたＳＭＳ２ＰＳＴＮサービスタイプによって前記着信側電話番号に係るＥｍａｉｌ  ＩＤで該メッセージをＥ−ｍａｉｌヘッダとボディデータとに変換してＥ−ｍａｉｌサーバを介して伝送し、該受信したメッセージをインスタンスメッセンジャー（ＩＭ）ＩＤでインスタンスメッセージデータに変換してメッセンジャーサーバを介して伝送し、個人移動電話番号で該メッセージを伝送し、一般電話番号でＴｅｘｔ２Ｖｏｉｃｅで該メッセージの文字を音声に変換して伝送し、またはｈｔｔｐプロトコルを用いてＰＯＳＴ／ＧＥＴ或いはＸＬＭ形式でユーザーの定めたウェブサーバへ伝送するための前記ＳＭＳ／ＭＭＳゲートウエーとを含む。
【００１１】
また、本発明による短文／マルチメディアメッセージサービス（ＳＭＳ／ＭＭＳ）ゲートウエーを用いたＳＭＳ２ＰＳＴＮ統合メッセージングサービス提供システムは、一般電話加入者（文字メッセージ送受信機能のない一盤電話加入者）からＳＭＳ２ＰＳＴＮ統合メッセージングサービスを提供するウェブサイトを介して会員加入情報を登録し、ＳＭＳ２ＰＳＴＮサービスタイプを設定するためのＳＭＳ２ＰＳＴＮサービスクライアントを、さらに含む。
【００１２】
また上記目的を解決するために、本発明による短文／マルチメディアメッセージサービス（ＳＭＳ／ＭＭＳ）ゲートウエーを用いたＳＭＳ２ＰＳＴＮ統合メッセージングサービス提供方法は、（ａ）前記一般電話加入者から前記ＳＭＳ２ＰＳＴＮサービスクライアントを介して前記ＳＭＳ２ＰＳＴＮサービス提供サーバに接続して会員加入情報を登録し、ＳＭＳ２ＰＳＴＮサービスタイプを設定するステップと、（ｂ）移動通信端末、ＳＭＳ／ＭＭＳ伝送クライアントまたは文字メッセージの送受信が可能な電話機（Ａｎｎフォン）から作成されたＳＭＳまたはＭＭＳメッセージを着信側電話番号で伝送するように、ＳＭＳサーバまたはＭＭＳサーバを介してＭＳＧゲートウエーへ伝送されると、ＭＳＧゲートウエーにおいて該ＳＭＳまたはＭＭＳメッセージに含まれた着信側電話番号が前記文字メッセージの送受信が可能な電話機（Ａｎｎフォン）の電話番号であるか否かを判断するステップと、（ｃ）判断結果、前記着信側電話番号が前記Ａｎｎフォン電話番号であると、前記ＭＳＧゲートウエーによって該受信したＳＭＳまたはＭＭＳメッセージを前記文字メッセージの送受信が可能な電話機（Ａｎｎフォン）へ伝送するステップと、（ｄ）判断結果、前記着信側一般電話番号が前記Ａｎｎフォン電話番号でなく一般電話番号であると、前記ＳＭＳまたはＭＭＳメッセージを前記ＭＳＧゲートウエーから前記ＳＭＳ／ＭＭＳゲートウエーへ伝送し、前記ＳＭＳ／ＭＭＳゲートウエーが該受信したＳＭＳまたはＭＭＳメッセージに含まれた着信側一般電話番号を前記ＳＭＳ２ＰＳＴＮサービス提供サーバに問合せると、前記ＳＭＳ／ＭＭＳゲートウエーが前記ＳＭＳ２ＰＳＴＮサービス提供サーバから予め決められたＳＭＳ２ＰＳＴＮサービスタイプによって前記着信側一般電話番号に係るＥｍａｉｌ  ＩＤ、インスタンスメッセンジャー（ＩＭ）ＩＤ、個人移動電話番号、一般電話番号、ユーザーの設定したウェブ住所のうちの少なくとも一つ以上のＩＤ情報を受信するステップと、（ｅ）前記ＳＭＳ／ＭＭＳゲートウエーが予め決められた前記ＳＭＳ２ＰＳＴＮサービスタイプによって前記ＳＭＳまたはＭＭＳメッセージに含まれた着信側電話番号に係るＥｍａｉｌ  ＩＤ、インスタンスメッセンジャー（ＩＭ）ＩＤ、または個人移動電話番号で該メッセージを伝送するか、一般電話番号でＴｅｘｔ２Ｖｏｉｃｅで音声に変換して伝送するか、ｈｔｔｐプロトコルを用いてＰＯＳＴ／ＧＥＴ或いはＸＬＭ形式でユーザーの設定したウェブサーバへ伝送するステップとを含む。
【００１３】
また、上記の目的を解決するために、コンピュータのＳＭＳ２ＰＳＴＮサービス提供サーバに会員加入情報を登録し、課金情報賦課機能、ＳＭＳ２ＰＳＴＮサービスタイプを設定し、前記着信側電話番号に係るＥｍａｉｌ  ＩＤ、インスタンスメッセンジャー（ＩＭ）ＩＤ、個人移動電話番号、一般電話番号、ユーザーの設定したウェブ住所を格納する機能と、移動通信端末、ＳＭＳ／ＭＭＳ伝送クライアント、または文字メッセージの送受信が可能な電話機（Ａｎｎフォン）から着信側電話番号で伝送する場合、ＳＭＳ／ＭＭＳゲートウエーから該受信したＳＭＳまたはＭＭＳメッセージに含まれた着信側電話番号を問合せられると、予め決められたＳＭＳ２ＰＳＴＮサービスタイプによって着信側電話番号に係る前記Ｅｍａｉｌ  ＩＤ、前記インスタンスメッセンジャー（ＩＭ）ＩＤ、前記個人移動電話番号、前記一般電話番号情報、前記ユーザーの設定したウェブ住所のうちの少なくとも一つ以上のＩＤ情報を提供する機能と、ＳＭＳ／ＭＭＳゲートウエーが該受信したＳＭＳまたはＭＭＳメッセージを前記着信側電話番号に係るＥｍａｉｌ  ＩＤでＥ−ｍａｉｌヘッダとボディデータとに変換してＥ−ｍａｉｌサーバを介して伝送する機能と、前記ＳＭＳ／ＭＭＳゲートウエーが該受信したＳＭＳまたはＭＭＳメッセージを前記着信側電話番号に係るインスタンスメッセンジャー（ＩＭ）ＩＤでインスタンスメッセージデータに変換してメッセンジャーサーバを介して伝送する機能と、前記ＳＭＳ／ＭＭＳゲートウエーが該受信したＳＭＳまたはＭＭＳメッセージを前記着信側電話番号に係る個人移動電話番号で伝送する機能と、前記ＳＭＳ／ＭＭＳゲートウエーが該受信したＳＭＳまたはＭＭＳメッセージを前記着信側電話番号に係る一般電話番号でＴｅｘｔ２Ｖｏｉｃｅで音声に変換して伝送する機能と、前記ＳＭＳ／ＭＭＳゲートウエーが該受信したＳＭＳまたはＭＭＳメッセージをｈｔｔｐプロトコルを用いてＰＯＳＴ／ＧＥＴ或いはＸＬＭ形式で前記着信側電話番号に係るユーザーの設定したウェブサーバへ伝送する機能を実現させるプログラムが記録されたコンピュータ読取り可能な記録媒体が提供される。
【発明の効果】
【００１４】
以上で説明した通り、本発明による短文／マルチメディアメッセージサービス（ＳＭＳ／ＭＭＳ）ゲートウエーを用いたＳＭＳ２ＰＳＴＮ統合メッセージングサービス提供システム及びその方法によれば、着信側電話番号でＳＭＳまたはＭＭＳメッセージを伝送する場合、ＳＭＳ／ＭＭＳゲートウエーによって該受信したＳＭＳまたはＭＭＳメッセージに含まれた該着信側電話番号を取り出し、ＳＭＳ２ＰＳＴＮサービス提供サーバに問合せ、予め決められたＳＭＳ２ＰＳＴＮサービスタイプによって該着信電話番号に係るＥｍａｉｌ  ＩＤ、またはインスタンスメッセンジャー（ＩＭ）ＩＤ、または個人移動電話で、または一般電話機でＴｅｘｔ２Ｖｏｉｃｅサービスで該受信したメッセージを変換して伝送するか、またはユーザーの設定したウェブサーバへ伝送するという効果が奏する。
【００１５】
企業は、既存の電話番号（代表電話番号または０８０番号）でＳＭＳまたはＭＭＳメッセージを受信し、ＳＭＳ／ＭＭＳ自動情報（基本情報、細部情報リンク、メニュー、略図、イベント）を提供し、または顧客の意見を総合的に処理し、前記ＳＭＳ／ＭＭＳゲートウエーによってコールバック（Ｃａｌｌｂａｃｋ）サービス（「当方会社にＳＭＳを下さって有難うございます。すぐにご連絡致します」）を提供し、既存の電話番号に個人化された追加番号（０−９）を指定してＣａｌｌｅｒ  ＩＤを用いた個人化サービスを提供し、顧客に特殊電話番号を有するコールセンター（０８０／１５８８）でＳＭＳまたはＭＭＳサービスを提供することができる。また、新たな発信者番号表示（ＣＩＤ）を用いて自動コールバック（Ｃａｌｌｂａｃｋ）サービスによって顧客サービスを改善することができる。
【００１６】
企業は、０８０または１５８８番号などの特殊電話番号を用いた無料ＳＭＳサービスを提供することによって、より多い顧客から意見収束が可能である。
【００１７】
個人は自らの個人的な移動電話番号の露出なしに、会社電話番号を介してＥｍａｉｌ  ＩＤ、またはインスタントメッセンジャー（ＩＭ）ＩＤ、または個人移動電話番号でＳＭＳ／ＭＭＳメッセージを受信することができ、プライバシーを保護されることができる。
【００１８】
企業や家庭においても着信側電話番号を個人化して既存の電話番号に追加される番号（０−９）で個人（Ｃａｌｌｅｒ  ＩＤ）（例えば、０：父、１：お母さん、２：長男、３：次男、…）を指定して、留守番時に企業または家庭の電話番号で（個人識別数字はオプション）ＳＭＳ／ＭＭＳサービスを受けることによって、音声通話に加えて新たなメディアサービスを提供することができる。
【発明を実施するための最良の形態】
【００１９】
以下、添付図面を参照して、本発明の好適な実施の形態について説明すれば、次のとおりである。
【００２０】
図２は、本発明によるＳＭＳ／ＭＭＳゲートウエーを用いたＳＭＳ２ＰＳＴＮ統合メッセージングサービス提供システムの構成図である。
【００２１】
図２に示すように、本発明によるＳＭＳ／ＭＭＳゲートウエーを用いたＳＭＳ２ＰＳＴＮ統合メッセージングサービス提供システムは、前記ＭＩＤＣのＭＳＧゲートウエー１３と、ＳＭＳ２ＰＳＴＮサービスクライアント３１と、ＳＭＳ２ＰＳＴＮサービス提供サーバ３２と、ＳＭＳ／ＭＭＳゲートウエー３３とを含む。
【００２２】
前記ＳＭＳ２ＰＳＴＮサービスクライアント３１は、一般電話加入者（ＡｎｎフォンのないＰＳＴＮ加入者）から、ＳＭＳ２ＰＳＴＮ統合メッセージングサービスを提供するウェブサイトとしての前記ＳＭＳ２ＰＳＴＮサービス提供サーバ３２に接続して会員加入情報を登録し、ＳＭＳ２ＰＳＴＮサービスタイプを設定する機能を提供する。
【００２３】
前記ＳＭＳ２ＰＳＴＮサービス提供サーバ３２のデータベースは、会員加入情報、課金情報、ＳＭＳ２ＰＳＴＮサービスタイプ及び前記着信側電話番号に係るＥｍａｉｌ  ＩＤ、インスタンスメッセンジャー（ＩＭ）ＩＤ、個人移動電話番号、一般電話番号、及びユーザーの設定したウェブ住所を格納している。
【００２４】
前記ＳＭＳ２ＰＳＴＮサービスタイプは、ＳＭＳまたはＭＭＳメッセージを受信する場合、ユーザーの着信側電話番号に係るＥｍａｉｌ  ＩＤ、インスタントメッセンジャーＩＤ、個人移動電話番号、一般電話番号、またはユーザーの設定したウェブ住所情報のうちの少なくとも一つ以上の情報として受信するか否かを予め設定する。
【００２５】
前記会員加入情報は、前記ＳＭＳ２ＰＳＴＮサービスクライアント３１から入力されたユーザー認証のためのＩＤ、パスワード、名前、住民登録番号、住所、ＳＭＳ２ＰＳＴＮメッセージングサービスタイプ、Ｅｍａｉｌ  ＩＤ、インスタンスメッセンジャー（ＩＭ）の種類及びインスタンスメッセンジャーＩＤ、個人移動電話番号、家電話番号、職場電話番号、ユーザーの設定したウェブ住所を含み、前記ＳＭＳ２ＰＳＴＮサービス提供サーバ３２に格納される。
【００２６】
前記着信側電話番号（ＡｎｎフォンでなくＰＳＴＮ一般電話番号）に係る情報は、Ｅｍａｉｌ  ＩＤ、またはインスタンスメッセンジャー（ＩＭ）ＩＤ、個人移動電話番号、一般電話番号情報、ユーザーの設定したウェブ住所情報を含み、前記ＳＭＳ２ＰＳＴＮサービス提供サーバ３２に格納される。
【００２７】
前記ＳＭＳ２ＰＳＴＮサービス提供サーバ３２は、前記ＳＭＳ／ＭＭＳゲートウエー３３から該受信したＳＭＳまたはＭＭＳメッセージに含まれた着信側電話番号で問合せられる（ｑｕｅｒｙ）と、予め決められたＳＭＳ２ＰＳＴＮサービスタイプによって、前記着信側一般電話番号に係るＥｍａｉｌ  ＩＤ、インスタンスメッセンジャー（ＩＭ）ＩＤ、個人移動電話番号、一般電話番号情報のうちの少なくとも一つ以上のＩＤ情報を、前記ＳＭＳ／ＭＭＳゲートウエー３３へ与える。
【００２８】
前記ＳＭＳ２ＰＳＴＮサービス提供サーバ３２は、着発信ＳＭＳメッセージを格納し、ＳＭＳメッセージを管理及び確認することができる。
【００２９】
前記ＭＩＤＣのＭＳＧゲートウエー１３は、移動通信端末２０、ＳＭＳ／ＭＭＳ伝送クライアント２２または文字メッセージの送受信が可能な電話機（Ａｎｎフォン）１７から伝送されたＳＭＳまたはＭＭＳメッセージをＳＭＳサーバまたはＭＭＳサーバを介して受信し、該受信したＳＭＳまたはＭＭＳメッセージに含まれた着信側電話番号が前記文字メッセージの送受信が可能な電話機（Ａｎｎフォン）１７の電話番号であるか否かを判断する。
【００３０】
前記ＭＩＤＣのＭＳＧゲートウエー１３は、前記文字メッセージの送受信が可能な電話機（Ａｎｎフォン）１７及び前記ＳＭＳ／ＭＭＳゲートウエー３３のいずれか一つに、該受信したＳＭＳまたはＭＭＳメッセージを伝送するか、または同時伝送が可能である。
【００３１】
前記ＳＭＳ／ＭＭＳゲートウエー３３は、移動通信端末２０またはＳＭＳ伝送クライアント２２、文字メッセージ送受信機能がない電話機（Ａｎｎフォン）１７から着信側電話番号でＳＭＳまたはＭＭＳメッセージを受信すると、該受信したＳＭＳまたはＭＭＳメッセージから取り出された着信側電話番号を前記ＳＭＳ２ＰＳＴＮサービス提供サーバ３２に問合せ、予め決められたＳＭＳ２ＰＳＴＮサービスタイプによって前記着信側一般電話番号に係るＥｍａｉｌ  ＩＤで、該受信したＳＭＳまたはＭＭＳメッセージをＥ−ｍａｉｌのヘッダ（ｈｅａｄｅｒ）とボディ（ｂｏｄｙ）メッセージとに変換してＥ−ｍａｉｌサーバを介して伝送するか、または前記着信側電話番号に係るインスタンスメッセンジャー（ＩＭ）ＩＤで、該受信したＳＭＳまたはＭＭＳメッセージをインスタンスメッセンジャーデータに変換してメッセンジャーサーバを介して伝送するか、または前記着信側電話番号に係る個人移動電話番号で該ＳＭＳまたはＭＭＳメッセージを伝送するか、または前記着信側電話番号に係る一般電話番号でＴｅｘｔ２Ｖｏｉｃｅ機能（文字認識ソフトウェアを用いて文字を音声に変換するＴＴＳ（Ｔｅｘｔ−Ｔｏ−Ｓｏｕｎｄ）機能）によって該メッセージの文字を音声に変換して伝送する。
【００３２】
前記ＳＭＳ／ＭＭＳゲートウエー３３は、前記移動通信端末２０、前記ＳＭＳ／ＭＭＳ伝送クライアント２２または前記文字メッセージの送受信が可能な電話機（Ａｎｎフォン）１７から受信したＳＭＳまたはＭＭＳメッセージから取り出された着信側電話番号を前記ＳＭＳ２ＰＳＴＮサービス提供サーバ３２に問合せ、予め決められたＳＭＳ２ＰＳＴＮサービスタイプによって前記着信側電話番号に係る予め決められたＥｍａｉｌ  ＩＤ、インスタンスメッセンジャー（ＩＭ）ＩＤ、個人移動電話番号、一般電話番号、またはユーザーの設定したウェブ住所のうちの少なくとも一つ以上のＩＤ情報を照会するモジュールと、該受信した短文メッセージを前記着信側電話番号に係るＥｍａｉｌ  ＩＤでＥ−ｍａｉｌヘッダ（ｈｅａｄｅｒ）とボディ（ｂｏｄｙ）とに分類し、Ｅ−ｍａｉｌデータに変換してＥ−ｍａｉｌサーバを介して伝送するモジュール（ＳＭＳ２Ｅｍａｉｌ）と、該受信した短文メッセージを前記着信側電話番号に係るインスタンスメッセンジャー（ＩＭ）ＩＤでインスタンスメッセージデータに変換してメッセンジャーサーバを介して伝送するモジュール（ＳＭＳ２ＩＭ）と、該受信した短文メッセージを前記着信側電話番号に係る個人移動電話番号で伝送するモジュール（ＳＭＳ２Ｍｏｂｉｌｅ）と、該受信した短文メッセージを前記着信側電話番号に係る一般電話番号でＴｅｘｔ２Ｖｏｉｃｅ機能（ＴＴＳ機能）によって音声に変換して伝送するモジュール（Ｔｅｘｔ２Ｖｏｉｃｅ）と、該受信した短文メッセージを前記着信側電話番号に係るユーザーの設定したウェブサーバへ、ｈｔｔｐプロトコルを用いてＰＯＳＴ／ＧＥＴ或いはＸＬＭ形式で伝送するモジュール（ＳＭＳ２Ｗｅｂ）とを含む。
【００３３】
前記ＳＭＳ／ＭＭＳゲートウエー３３は、前記移動通信端末２０、前記ＳＭＳ／ＭＭＳ伝送クライアント２２または前記文字メッセージの送受信が可能な電話機（Ａｎｎフォン）１７から受信したＭＭＳメッセージから取り出された着信側電話番号を前記ＳＭＳ２ＰＳＴＮサービス提供サーバ３２に問合せ、予め決められたＳＭＳ２ＰＳＴＮサービスタイプによって、前記着信側電話番号に係るＥｍａｉｌ  ＩＤ、インスタンスメッセンジャー（ＩＭ）ＩＤ、個人移動電話番号、一般電話番号、またはユーザーの設定したウェブ住所のうちの少なくとも一つ以上のＩＤ情報を照会するモジュールと、該受信したＭＭＳメッセージからＭＭＳヘッダ及びＭＭＳボディデータを前記着信側電話番号に係るＥｍａｉｌ  ＩＤでＥ−ｍａｉｌヘッダ（ｈｅａｄｅｒ）とボディ（ｂｏｄｙ）とに分類し、Ｅ−ｍａｉｌデータに変換してＥ−ｍａｉｌサーバを介して伝送するモジュール（ＭＭＳ２Ｅｍａｉｌ）と、該受信したＭＭＳメッセージを前記着信側電話番号に係るインスタンスメッセンジャー（ＩＭ）ＩＤでインスタンスメッセージデータに変換してメッセンジャーサーバを介して伝送するモジュール（ＭＭＳ２ＩＭ）と、該受信したＭＭＳメッセージを前記着信側電話番号に係る個人移動電話番号で伝送するモジュール（ＭＭＳ２Ｍｏｂｉｌｅ）と、該受信したＭＭＳメッセージを前記着信側電話番号に係る一般電話番号でＴｅｘｔ２Ｖｏｉｃｅ機能（ＴＴＳ機能）によって音声に変換して伝送するモジュール（Ｔｅｘｔ２Ｖｏｉｃｅ）と、該受信したＭＭＳメッセージを前記着信側電話番号に係るユーザーの設定したウェブサーバへ、ｈｔｔｐプロトコルを用いてＰＯＳＴ／ＧＥＴ或いはＸＬＭ形式で伝送するモジュール（ＭＭＳ２Ｗｅｂ）とを含む。
【００３４】
前記着信側一般電話番号は、企業の既存の電話番号（代表電話番号、０８０番号）や特殊電話番号（例えば、１５８８番号）でＳＭＳまたはＭＭＳメッセージを伝送する場合、個人的な移動電話番号の露出なしに該ＳＭＳ／ＭＭＳメッセージを伝送し、ＣＩＤサーバによって発信者番号表示（ＣＩＤ：Ｃａｌｌ  Ｉｄｅｎｔｉｆｉｃａｔｉｏｎ）を用いて自動コールバック（ｃａｌｌｂａｃｋ）機能を提供する。
【００３５】
前記着信側一般電話番号は、家庭または企業の着信側電話番号を個人化して既存の一般電話番号に追加番号（０−９）を設定して、ＳＭＳ／ＭＭＳメッセージを受信することができる（Ｃａｌｌｅｒ  ＩＤ）(例えば、０：父、１：お母さん、２：長男、３：次男、…）。
【００３６】
前記ＳＭＳ／ＭＭＳゲートウエー３３は、別途の所定の管理クライアントによってインターネットを介して受信した全てのＳＭＳまたはＭＭＳメッセージ及び発信者情報を統合管理し、インターネットを介してＳＭＳ／ＭＭＳ返事を自動で伝送し、伝送メッセージを管理する。
【００３７】
前記ＳＭＳ／ＭＭＳゲートウエー３３は、企業の代表電話番号、コールセンターの電話番号、特殊電話番号（例えば、１５８８）で２４時間受信メッセージとしてＳＭＳ／ＭＭＳ自動情報（基本情報、細部情報リンク、メニュー、略図、イベント）を提供し、該受信したＳＭＳまたはＭＭＳメッセージに含まれた発信側電話番号で所定文句のコールバック（Ｃａｌｌｂａｃｋ）サービスを提供する。
【００３８】
前記ＳＭＳ２ＰＳＴＮサービス提供サーバ３２は、前記ＳＭＳ／ＭＭＳゲートウエー３３によって着信側電話番号に追加番号（Ｃａｌｌｅｒ  ＩＤ）を用いた個人化サービスを提供するように、家庭及び企業の着信側電話番号の個人化情報をデータベースに格納する。
【００３９】
前記ＳＭＳ／ＭＭＳゲートウエー３３は、家庭または企業の着信側電話番号を個人化して、既存の一般電話番号に追加番号（０−９）を設定してＳＭＳまたはＭＭＳメッセージを伝送することができる。
【００４０】
図３は、本発明の好適な実施の形態によるＳＭＳ／ＭＭＳゲートウエーを用いたＳＭＳ２ＰＳＴＮ統合メッセージングサービス提供方法を説明したフローチャートである。
【００４１】
前記一般電話加入者（ＡｎｎフォンのないＰＳＴＮ加入者）が、前記ＳＭＳ２ＰＳＴＮサービスクライアント３１）を介して前記ＳＭＳ２ＰＳＴＮサービス提供サーバ３２に接続して会員加入情報を登録し、ＳＭＳ２ＰＳＴＮサービスタイプを設定する（ステップＳ１１）。
【００４２】
前記移動通信端末２０、前記ＳＭＳ／ＭＭＳ伝送クライアント２２または前記文字メッセージの送受信が可能な電話機（Ａｎｎフォン）１７から作成されたＳＭＳまたはＭＭＳメッセージをＳＭＳサーバー及びＭＭＳサーバを介してＭＩＤＣ（Ｍｏｂｉｌｅ  Ｉｎｔｅｒｎｅｔ  Ｄａｔａ  Ｃｅｎｔｅｒ）のＭＳＧゲートウエー１３へ伝送されると（ステップＳ１２）、前記ＭＩＤＣのＭＳＧゲートウエー１３は、該受信したＳＭＳまたはＭＭＳメッセージに含まれた着信側電話番号が前記文字メッセージの送受信が可能な電話機（Ａｎｎフォン）１７の電話番号であるか否かを判断する（ステップＳ１３）。
【００４３】
前記ＭＩＤＣのＭＳＧゲートウエー１３は、該受信したＳＭＳまたはＭＭＳメッセージを前記文字メッセージの送受信が可能な電話機（Ａｎｎフォン）１７及び前記ＳＭＳ／ＭＭＳゲートウエー３３のうちのいずれか一つのみに伝送することでなく、両方へ同時に伝送することができる。
【００４４】
ステップＳ１３における判断結果、前記着信側電話番号が前記Ａｎｎフォン電話番号であると、前記ＭＩＤＣのＭＳＧゲートウエー１３は、ＳＭＳまたはＭＭＳメッセージをインテリジェントネットワーク（ＩＮ）を介して前記文字メッセージの送受信が可能な電話機（Ａｎｎフォン）１７へ伝送する（ステップＳ１４）。
【００４５】
ステップＳ１３における判断結果、前記着信側電話番号が前記Ａｎｎフォン電話番号でなく一般電話番号であると、前記ＭＩＤＣのＭＳＧゲートウエー１３は、ＳＭＳまたはＭＭＳメッセージを前記ＳＭＳ／ＭＭＳゲートウエー３３へ伝送する。
【００４６】
前記ＳＭＳ／ＭＭＳゲートウエー３３は、前記着信側電話番号で伝送されるＳＭＳまたはＭＭＳメッセージを受信すると、該受信したＳＭＳまたはＭＭＳメッセージに含まれた該着信側電話番号を取り出し、前記ＳＭＳ２ＰＳＴＮサービス提供サーバ３２に前記着信側電話番号を問合せる（ｑｕｅｒｙ）（ステップＳ１５）。
【００４７】
前記ＳＭＳ／ＭＭＳゲートウエー３３は、前記ＳＭＳ２ＰＳＴＮサービス提供サーバ３２から予め決められたＳＭＳ２ＰＳＴＮサービスタイプによって、前記着信側電話番号に係るＥｍａｉｌ  ＩＤ、インスタンスメッセンジャー（ＩＭ）ＩＤ、個人移動電話番号、一般電話番号、ユーザーの設定したウェブ住所のうちの少なくとも一つ以上の情報を受信する（ステップＳ１６）。
【００４８】
前記ＳＭＳ／ＭＭＳゲートウエー３３は、予め決められた前記ＳＭＳ２ＰＳＴＮサービスタイプによって、該受信したＳＭＳまたはＭＭＳメッセージに含まれた着信側電話番号を取り出し、該着信側電話番号に係るＥｍａｉｌ  ＩＤで該受信したＳＭＳまたはＭＭＳメッセージをＥ−ｍａｉｌヘッダとボディデータとに変換してＥ−ｍａｉｌサーバを介して伝送するか、または前記着信側電話番号に係るインスタンスメッセンジャー（ＩＭ）ＩＤで該受信したＳＭＳまたはＭＭＳメッセージをインスタンスメッセージデータに変換してメッセンジャーサーバを介して伝送するか、または個人移動電話番号で該受信したＳＭＳまたはＭＭＳメッセージを伝送するか、または一般電話番号でＴｅｘｔ２Ｖｏｉｃｅサービスによって短文／マルチメディアメッセージ文字を音声に変換して伝送するか、または該受信したＳＭＳまたはＭＭＳメッセージをｈｔｔｐプロトコルを用いてＰＯＳＴ／ＧＥＴ或いはＸＬＭ形式でユーザーの設定したウェブサーバへ伝送する（ステップＳ１７）。
【００４９】
前記ＳＭＳ／ＭＭＳゲートウエー３３を用いたＳＭＳ２ＰＳＴＮ統合メッセージングサービスは、一実施の形態として基本サービス、企業サービス、及び家庭サービスが挙げられる。
【００５０】
（１）基本サービス
基本サービスは、ＳＭＳ／ＭＭＳメッセージを、着信側電話番号に係るＥｍａｉｌ  ＩＤ、インスタントメッセンジャー（ＩＭ）ＩＤ、音声合成（Ｔｅｘｔ２Ｖｏｉｃｅ）または個人移動番号で各々変換してフォーワーディングするサービスを提供する。
【００５１】
前記ＳＭＳ／ＭＭＳゲートウエー３３は、所定の管理クライアントと連結されてインターネットを介して受信した全てのＳＭＳまたはＭＭＳメッセージ及び発信者メッセージを統合管理し、インターネットを介したＳＭＳ／ＭＭＳ返事の自動伝送機能を提供し、伝送メッセージを管理する。
【００５２】
（２）企業サービス
企業サービスは、２４時間受信メッセージとしてＳＭＳ／ＭＭＳ自動情報（既存情報、細部情報リンク、メニュー、略図、イベント）を提供する。
【００５３】
前記ＳＭＳ／ＭＭＳゲートウエー３３は、コールバック（Ｃａｌｌｂａｃｋ）サービス（「当方会社にＳＭＳを下さって有難うございます。すぐにご連絡致します」）を提供し、Ｃａｌｌｅｒ  ＩＤを用いた個人化サービスを提供し、顧客に特殊電話番号を有するコールセンター（０８０／１５８８）で受信者負担無料ＳＭＳサービスを提供する。
【００５４】
（３）家庭サービス
家庭サービスは、家庭電話番号を個人化して既存の電話番号に追加される１桁の追加番号（０−９）（Ｃａｌｌｅｒ  ＩＤ）で個人を指定し、メッセージングサービスを提供されることができる（例えば、０：父、１：お母さん、２：長男、３：次男、…）。
【００５５】
（例）家庭電話番号：０３１−７８９−３１１４[０−９]
【００５６】
前記ＳＭＳ／ＭＭＳゲートウエー３３を用いたＳＭＳ２ＰＳＴＮ統合メッセージングサービスは、無線事業開発基盤を提供し、家庭電話番号の個人化の価値を向上し、文字メッセージ送受信機能付き電話機（Ａｎｎフォン）事業を活性化し、漸次的な番号の移動性を向上する。
【００５７】
従って、ＳＭＳ２ＰＳＴＮ統合メッセージングサービスを提供する前記ＳＭＳ２ＰＳＴＮクライアント３１を介して前記ＳＭＳ２ＰＳＴＮサービス提供サーバ３２に接続して会員として加入の後、前記ＳＭＳ／ＭＭＳ伝送クライアント２２、前記移動通信端末２０、または前記文字メッセージ送受信機能付き電話機（Ａｎｎフォン）１７から着信側電話番号（ＡｎｎフォンのないＰＳＴＮ加入者電話番号）で伝送されたＳＭＳまたはＭＭＳメッセージを前記ＳＭＳ／ＭＭＳゲートウエー３３が受信すると、前記ＳＭＳ／ＭＭＳゲートウエー３３は、予め決められたＳＭＳ２ＰＳＴＮサービスタイプによって着信側一般電話番号に係るＥｍａｉｌ  ＩＤ、インスタンスメッセンジャー（ＩＭ）ＩＤ、または個人移動電話番号で、該受信したメッセージを変換して伝送するか、または一般電話番号でＴｅｘｔ２Ｖｏｉｃｅで音声に変換して伝送するか、またはｈｔｔｐプロトコルを用いてＰＯＳＴ／ＧＥＴ或いはＸＬＭ形式でユーザーの設定したウェブサーバへ伝送するＰＳＴＮ統合メッセージングサービスを提供することができる。
【００５８】
企業は、既存の電話番号（代表電話番号または０８０番号）でＳＭＳまたはＭＭＳメッセージを受信し、ＳＭＳ／ＭＭＳ自動情報（基本情報、細部情報リンク、メニュー、略図、イベント）を提供したり、顧客の意見を総合的に処理し、前記ＳＭＳ／ＭＭＳゲートウエー３３によってコールバック（Ｃａｌｌｂａｃｋ）サービス（「当方会社にＳＭＳを下さって有難うございます。すぐにご連絡致します」）を提供したり、既存の電話番号に個人化された追加番号（０−９）を指定してＣａｌｌｅｒ  ＩＤを用いた個人化サービスを提供したり、顧客に特殊電話番号を有するコールセンター（０８０／１５８８）でＳＭＳまたはＭＭＳサービスを提供したりすることができる。
【００５９】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味及び範囲内でのすべての変更が含まれることが意図される。
【図面の簡単な説明】
【００６０】
【図１】従来の移動通信網における短文メッセージサービス（ＳＭＳ）の構成図である。
【図２】本発明によるＳＭＳ／ＭＭＳゲートウエーを用いたＳＭＳ２ＰＳＴＮ統合メッセージングサービス提供システムの構成図である。
【図３】本発明の好適な実施の形態によるＳＭＳ／ＭＭＳゲートウエーを用いたＳＭＳ２ＰＳＴＮ統合メッセージングサービス提供方法を説明したフローチャートである。
【符号の説明】
【００６１】
１３  ＭＩＤＣのＭＳＧゲートウエー
２０  移動通信端末
１７  文字メッセージの送受信が可能な電話機（Ａｎｎフォン）
３０  （Ａｎｎフォンでない）一般電話機
３１  ＳＭＳ２ＰＳＴＮサービスクライアント
３２  ＳＭＳ２ＰＳＴＮサービス提供サーバ
３３  ＳＭＳ／ＭＭＳゲートウエー
【図１】
2009534905.tif 000003
【図２】
2009534905.tif 000004
【図３】
2009534905.tif 000005
【国際調査報告】
2009534905.tif 000006
2009534905.tif 000007